【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
管腔内人工器官を送り込み且つ配備させるための器具であり、
少なくとも１つの軸線方向の管腔を有している給送カテーテルと、
該給送カテーテルの遠位端部に設けられ、第一の端部に設けられた第一の開口部と、第二の端部に設けられた第二の開口部と、前記第一の端部と第二の端部との間に設けられた少なくとも１つの開窓部とを備えている管状移植片を備えている管腔内人工器官と、
各々が前記給送カテーテルの近位端部に設けられている第一及び第二の端部と、該第一の端部と第二の端部との間に配置されている本体部分とを備えているワイヤと、を備えており、
前記ワイヤは、前記第一の端部から遠位方向に前記給送カテーテルの管腔の軸線方向の管腔内及び前記人工器官内を通り且つ前記移植片の前記開窓部内を通って伸長し、
前記人工器官の管腔内を近位方向に伸長し且つ前記給送カテーテルの軸線方向の管腔内を前記第二の端部に向かって伸長している、ことを特徴とする器具。
【請求項２】
前記ワイヤの第一の端部を覆うように前記給送カテーテルの軸線方向の管腔内に摺動可能な形態で配置されている補助カテーテルを更に備えている、ことを特徴とする請求項１に記載の器具。
【請求項３】
前記補助カテーテルが、細長いシースと、該シースの軸線方向の管腔内に配置されている細長い拡張器とを備えている、ことを特徴とする請求項２に記載の器具。
【請求項４】
前記ワイヤの第二の端部を覆うように前記給送カテーテルの軸線方向の管腔内に摺動可能な形態で配置されている第二の補助カテーテルを更に備えている、ことを特徴とする請求項２に記載の器具。
【請求項５】
前記第二の補助カテーテルが、細長いシースと、該シースの軸線方向の管腔内に配置されている細長い拡張器とを備えている、ことを特徴とする請求項４に記載の器具。
【請求項６】
前記人工器官が２以上の開窓部を前記移植片内に備えている、ことを特徴とする請求項１に記載の器具。
【請求項７】
前記人工器官と前記ワイヤとの間に１以上の取り付け箇所を備えている、ことを特徴とする請求項１に記載の器具。
【請求項８】
前記取り付け箇所の各々が縫合糸からなる、ことを特徴とする請求項７に記載の器具。
【請求項９】
前記１以上の取り付け箇所によって、前記ワイヤが前記人工器官の外面に取り付けられている、ことを特徴とする請求項７に記載の器具。
【請求項１０】
前記ワイヤが前記開窓部の中に摺動可能な形態で通されて設けられている、ことを特徴とする請求項７に記載の器具。
【請求項１１】
前記ワイヤが前記開窓部の中に摺動可能な形態で通されて設けられている、ことを特徴とする請求項１に記載の器具。
【請求項１２】
前記ワイヤの第一の端部を覆うように前記給送カテーテルの軸線方向の管腔内に摺動可能な形態で設けられ、細長いシースと、該シースの軸線方向の管腔内に配置されている細長い拡張器とを備えている補助カテーテルと、
前記ワイヤの第二の端部を覆うように前記給送カテーテルの軸線方向の管腔内に摺動可能な形態で設けられ、細長いシースと、該シースの軸線方向の管腔内に設けられている細長い拡張器とを備えている第二の補助カテーテルと、を更に備えており、
前記人工器官は２以上の開窓部を前記移植片内に備えており、
前記人工器官と前記ワイヤとの間に１以上の取り付け箇所が設けられており、
該取り付け箇所の各々が縫合糸からなり、
前記１以上の取り付け箇所によって、前記ワイヤが前記人工器官の外面に取り付けられており、
前記ワイヤが前記開窓部内を摺動可能な形態で設けられている、ことを特徴とする請求項１に記載の器具。
【請求項１３】
管腔内人工器官を送り込み且つ配備させるための器具であり、
給送カテーテルと、
該給送カテーテルの遠位端部に配置され、第一の端部に設けられた第一の開口部と、第二の端部に設けられた第二の開口部と、前記第一の端部と第二の端部との間で前記移植片内に設けられた少なくとも第一の開窓部及び第二の開窓部とを備えている管腔内人工器官と、
各々が前記給送カテーテルの近位の端部に設けられている第一及び第二の端部と、該第一の端部と第二の端部との間に配置されている本体部分とを備えているワイヤと、を備えており、
前記ワイヤの本体部分が、前記移植片内の前記第一の開窓部及び前記第二の開窓部の中に通されている、ことを特徴とする器具。
【請求項１４】
前記ワイヤが、前記第一の開窓部と第二の開窓部との中を摺動可能な形態で通されて設けられている、ことを特徴とする請求項１３に記載の器具。
【請求項１５】
前記ワイヤが、部分的に前記給送カテーテルの軸線方向の管腔内に配置されている、ことを特徴とする、請求項１３に記載の器具。
【請求項１６】
前記ワイヤの第一の端部を覆うように設けられている第一の補助カテーテルと、前記ワイヤの第二の端部を覆うように設けられている第二の補助カテーテルとを更に備えている、ことを特徴とする請求項１３に記載の器具。
【請求項１７】
前記第一の補助カテーテルと第二の補助カテーテルとが、前記給送カテーテルの軸線方向の管腔内に摺動可能な形態で配置されている、ことを特徴とする請求項１６に記載の器具。
【請求項１８】
前記第一の補助カテーテルが前記給送カテーテルの第一の軸線方向の管腔内に摺動可能な形態で配置されており、前記第二の補助カテーテルが前記給送カテーテルの第二の軸線方向の管腔内に摺動可能な形態で配置されている、ことを特徴とする請求項１７に記載の器具。
【請求項１９】
前記第一の補助カテーテルと第二の補助カテーテルとの各々が、細長いシースと、該シース内に設けられている細長い拡張器とを備えている、ことを特徴とする請求項１６に記載の器具。
【請求項２０】
前記ワイヤが前記第一の開窓部と第二の開窓部とに摺動可能な形態で通されて設けられていること、
前記ワイヤが部分的に前記給送カテーテルの軸線方向の管腔内に配置されていること、
前記ワイヤの第一の端部を覆うように配置されている第一の補助カテーテル及び前記ワイヤの第二の端部を覆うように配置されている第二の補助カテーテルを備えていること、
前記第一及び第二の補助カテーテルが前記給送カテーテルの軸線方向の管腔内に摺動可能な形態で配置されていること、
前記第一の補助カテーテルが前記給送カテーテルの第一の軸線方向の管腔内に摺動可能な形態で配置されており、前記第二の補助カテーテルが前記給送カテーテルの第二の軸線方向の管腔内に摺動可能な形態で配置されていること、
前記第一と第二の補助カテーテルとの各々が、細長いシースと、該シースの軸線方向の管腔内に設けられている細長い拡張器とを備えていること、
のうちの２以上の特徴を更に備えている、ことを特徴とする請求項１３に記載の器具。
【請求項２１】
管腔内人工器官内の多数の開窓部にカニューレを挿入する方法であり、
給送カテーテルを準備するステップと、
前記給送カテーテルの遠位端部に管腔内人工器官を配置するステップであり、該管腔人工器官は管状移植片を備えており、該管状移植片は、第一の端部に第一の開口部を備え、第二の端部に第二の開口部を備え、前記第一の端部と第二の端部との間に第一及び第二の開窓部を備えている、前記ステップと、
第一の端部と、第二の端部と、該第一の端部と第二の端部との間に配置されている本体部分と、を備えているワイヤを準備するステップと、
前記ワイヤの前記本体部分を、前記第一の開窓部内を通過し且つ前記第二の開窓部を通過するように配置するステップと、
前記ワイヤの前記第一及び第二の端部を前記給送カテーテルの近位部分に配置するステップと、を含んでいる方法。